(57)【要約】      （修正有）【課題】装着容易性を保ちつつ、被着磁面の傷つきにくさ、外形形成容易性、破損・欠損困難性、緩衝性、防錆性を備え、健康増進目的に用いることの可能な磁石製品を提供する。【解決手段】磁石製品１１０は、両磁極が表裏になるように平面的に形成される磁石１０と、前記磁石の全周囲を覆うように配置される緩衝材２０とを備えて構成される磁石製品ユニットが同極を同じ面になるように連接されて構成される。さらにこの構成において、前記磁石としてネオジウム磁石を用い、前記緩衝材２０としてシリコンゴムを用い、前記連接部には前記シリコンゴムに刻設された溝を備えるように構成してもよい。また、上記構成において、前記連接は、前記磁石を覆う緩衝材部分同士の長さを任意長に、略平面上一方向は単列、その略直交方向は複数列の前記磁石製品ユニットを備える長尺状に形成されるようにしてもよい。【選択図】図５
2008253636.tif 000002
【特許請求の範囲】
【請求項１】
両磁極が表裏になるように平面的に形成される磁石と、
前記磁石の全周囲を覆うように配置される緩衝材と
を備えて構成される磁石製品ユニットが同極を同じ面になるように連接されて構成されることを特徴とする磁石製品。
【請求項２】
前記磁石としてネオジウム磁石が用いられ、
前記緩衝材としてシリコンゴムが用いられ、
前記連接部には前記シリコンゴムに刻設された溝を備えることを特徴とする請求項１記載の磁石製品。
【請求項３】
前記連接は、前記磁石を覆う緩衝材部分同士の長さを任意長に、略平面上一方向は単列、その略直交方向は複数列の前記磁石製品ユニットを備える長尺状に形成され、前記連接部には前記緩衝材に刻設された溝を備えることを特徴とする請求項１記載の磁石製品。
【請求項４】
請求項３記載の磁石製品において、前記長尺状に係る複数列の前記磁石製品ユニットについて、該長尺の端部付近のユニット列の各々のユニットの持つ前記磁石間の距離が、該長尺の中央部付近のユニット列の各々のユニットの持つ前記磁石間の距離よりも短く形成されることを特徴とする磁石製品。
【請求項５】
前記連接は、前記磁石を覆う緩衝材部分同士の長さが任意長とされることで、略平面上一方向は複数列、その略直交方向は複数列の前記磁石製品ユニットを備える平面状に形成され、前記連接部には前記緩衝材に刻設された溝を備えることを特徴とする請求項１記載の磁石製品。
【発明の詳細な説明】
【技術分野】
【０００１】
本発明はたとえば磁石製品に係り、特に健康維持・増進に資する磁石製品に関する。
【背景技術】
【０００２】
身体に現れる肩凝り、頭痛、腰痛、目の疲れといった様々な症状を予防したり改善したりすることに役立つ効能（以下「健康補助作用」という）を発揮する物質として、永久磁石が用いられる。
永久磁石は、皮膚に刺激を与えない磁気の作用で筋肉内の血行を促進して筋肉の凝りをほぐす作用を発揮し、肩凝り、腰痛、神経痛などの症状を緩和することに役立つとされている。
また、シリコンラバーの中に磁石を埋め込んだ形状により、健康補助作用を行うための健康器具として身体に装着することも提案されている。
【特許文献１】登録実用新案第３０２５６４８号公報
【特許文献２】特開２００６―１５００７３号公報
【特許文献３】登録実用新案第３１１４４２２号公報
【特許文献４】特開２００１―２４５９９３号公報
【発明の開示】
【発明が解決しようとする課題】
【０００３】
これまでは、上記各特許文献に見られるように、磁石とシリコンラバーを組み合わせるという技術思想は開示されてはいても、これらはいずれも、磁石が一部露出していたり、磁石とシリコンとの組合せが単体で用いられているため、健康増進効果が弱い。また、落とすと破断し易く、磁石同士を衝突させたりしていると、表面が欠けたりする。磁極を露出させた状態では、振動に弱く、雨水やごみなどが磁極面に付着し易い。また、ネオジウム磁石などでは錆を生じたりする。その一方で、長時間身体に装着させる上では何らかの装着手段の介在が不可欠であった。
代替的に、磁石とシリコンとの組合せが複数で用いられるものがあっても磁石の磁極が隣り合う磁石同士で交互するように形成されるため、連接して装着する行為自体に困難があった。したがって、容易に離脱してしまったり、或いは身体に装着することを本義とするにも拘らず装着がとれ易かったり、さらには装着操作が手軽に行えないなどといった問題があった。これに加えて、身体に習慣的に装着することから、本来、繰り返しの洗濯に耐えられることが望まれるにも拘らず、洗濯すると磁石だけが剥離してしまうといった問題もあった。
【０００４】
本願は、これら従来技術上の各種問題点を解決するためになされたもので、装着容易性を保ちつつ、被着磁面の傷つきにくさ、外形形成容易性、破損・欠損困難性、緩衝性、防錆性を備え、健康増進目的に用いることの可能な磁石製品を提供することを目的とする。
【課題を解決するための手段】
【０００５】
上記の課題を解決するために、本願に係る磁石製品は、両磁極が表裏になるように平面的に形成される磁石と、前記磁石の全周囲を覆うように配置される緩衝材とを備えて構成される磁石製品ユニットが同極を同じ面になるように連接されて構成されることを特徴とする。
【０００６】
かかる構成を備えることにより、緩衝材（たとえばシリコンラバー）の中に埋め込むことによって磁石を露出させずに保護し、気水密可能に被膜してあるため、被磁着面を傷つける虞がない。さらに任意の外形と色彩に形成でき、製造、運搬、使用過程での磁石本体の破断や欠損を生じ難く、適度の緩衝性を持ち、製品仕上がりも良好で、体にフィットし、磁石本体に錆を生じさせない。この性質は、健康器具・装着品として長時間身体に装着させる製品の性質からすれば、特に製品としての有用性を向上させる。また、磁石を連接してベルトのように止めることが可能となり、たとえば長時間身体に装着して健康維持増進効果を高め、皮膚に刺激を与えない磁気の作用で筋肉内の血行を促進して筋肉の凝りをほぐす作用により、肩凝り、腰痛、神経痛、頭痛、目の疲れといった様々な症状を予防・改善するための健康器具として用いることができる。この際、緩衝材（たとえばシリコンラバーや合成ゴム）で磁石全面が覆われているため、磁石製品単体もしくは衣服に装着したまま、洗濯を容易に行うことができ、また、磁石そのものはシリコンによって強固に保護されているため、繰り返しの洗濯によっても破損、脱落しない。
【０００７】
さらにこの構成において、前記磁石としてネオジウム磁石が用いられ、前記緩衝材としてシリコンゴムが用いられ、前記連接部には前記シリコンゴムに刻設された溝を備えるように構成してもよい。このように構成することにより、磁力が強力になることから、上述の健康維持増進効果は一層発揮され、また、シリコンの持つ緩衝性、可撓性、弾力性により、衝撃吸収効果、磁石保護効果は一層強化され、長期間に亘る耐用性が実現される。さらに、磁石を覆うシリコンゴムの連接部分に溝が刻設されることから、シリコンゴムの硬度が比較的硬い素材を用いたとしても、身体に巻回する操作を支障なく行うことができる。
【０００８】
また、上記構成において、前記連接は、前記磁石を覆う緩衝材部分同士の長さを任意長に、略平面上一方向は単列、その略直交方向は複数列の前記磁石製品ユニットを備える長尺状に形成され、前記連接部には前記緩衝材に刻設された溝を備えるようにしてもよい。これにより、磁石と緩衝材（たとえばシリコンラバー）中に、磁石が完全に内臓させる状態で埋め込まれたものが複数連結されたベルト（帯）として用いることができる。ベルトとして任意の長さで調節でき、１回乃至は数回周回させた状態で装着する際には、各磁石の同局が同じ側になっているため、周回させた表面と周回前の裏面とが異極となって、決定した場所において容易に装着が可能である。また、磁石に緩衝材が覆ってあることから、たとえネオジウム磁石等の強力な磁石を用いた場合であっても、磁力に対して一定の低減作用が加わることから、離脱も容易にできる。したがって、長時間に亘って装着した状態を保つことで一層の健康増進効果をもたらす健康維持・増進器具として最適である。さらに、磁石を覆う緩衝材の連接部分に溝が刻設されることから、緩衝材の硬度が比較的硬い素材を用いたとしても、身体に巻回する操作を支障なく行うことができる。
【０００９】
さらに上記構成において、前記長尺状に係る複数列の前記磁石製品ユニットについて、該長尺の端部付近のユニット列の各々のユニットの持つ前記磁石間の距離が、該長尺の中央部付近のユニット列の各々のユニットの持つ前記磁石間の距離よりも短く形成されるようにしてもよい。これにより、たとえばベルトとして用いられる本発明に係る磁石製品が腕・脚等の周りに周回されることで、１周目と２周目との概略円周の相違から生ずるずれを吸収し、任意の所望箇所でベルトを止める（磁石の吸着効果を利用してベルトを係止する）ことが可能となる。すなわち、たとえば太腿部分に巻回する場合に、一部しか磁着できないために外れやすいといった不具合を発生させずに、複数個所にて磁着させ、磁着状態の保持を安全かつ容易に実現する。
【００１０】
また上記構成において、前記連接は、前記磁石を覆う緩衝材部分同士の長さが任意長とされることで、略平面上一方向は複数列、その略直交方向は複数列の前記磁石製品ユニットを備える平面状に形成され、前記連接部には前記緩衝材に刻設された溝を備えるようにしてもよい。これにより、磁石と緩衝材（たとえばシリコンラバー）中に、磁石が完全に内臓させる状態で埋め込まれたものが複数連結された平面（布状、プレート状物体）として用いることができる。布状体として面全体に亘って治療効果を発揮させたい場合などに特に有用である。各磁石の同局が同じ側になっているため、任意の長さで調節でき、１回乃至は数回周回させた状態で装着する際には、周回させた表面と周回前の裏面とが異極となって、決定した場所において容易に装着が可能である。また、磁石に緩衝材が覆ってあることから、たとえネオジウム磁石等の強力な磁石を用いた場合であっても、磁力に対して一定の低減効果が加わることから、離脱も容易にできる。したがって、長時間に亘って装着した状態を保つことで、特に面的効果の大きい、肩凝り、腰痛等の疾病に対して一層の健康増進効果をもたらすことができる。さらに、磁石を覆う緩衝材の連接部分に溝が刻設されることから、緩衝材の硬度が比較的硬い素材を用いたとしても、身体に巻回する操作を支障なく行うことができる。
【発明の効果】
【００１１】
本願によれば、磁石を緩衝材中に完全に内臓させる状態で埋め込み、これを複数設け、ベルト（帯）や布状態の表裏を磁極と対応させ健康器具として用いることにより、装着容易性が発揮されるとともに、被着磁面の傷つきにくさ、外形形成容易性、破損・欠損困難性、緩衝性、防錆性が達成される。さらに緩衝材で覆うことで、離脱容易性も発揮される。
また、本発明製品は、磁極面がシリコンゴム等の緩衝材からなる外殻によって覆われているので、被磁着面に対して擦れによる損傷を生じさせる虞れがない。むしろ、シリコンゴム等の緩衝材素材の表面摩擦抵抗によって、磁石の比較的弱いとされる滑り方向へ動きを防止できる。
また、磁石の特性である、Ｎ極・Ｓ極の統一を図ることにより、どの面に当てても両面使用が可能となる。
【発明を実施するための最良の形態】
【００１２】
以下、本発明を実施するための最良の形態について、図面を参照しつつ説明する。なお、以下の図面において、同じ対象は同一の符号を付し、同一の説明を省略する場合もある。
【００１３】
図１は、本発明の一実施形態に係る健康維持増進のためのベルト（バンド、チェーン、サポーターともいう。以下同。）としての磁石製品（以下、「磁石」もしくは「マグネット」ともいう。）の部分を示す斜視図、図２は本磁石製品の一態様としてのベルトの一部省略の全体像を平面視で表す平面図、図３は図２の矢印で切った断面の一部を示す断面図である。
図１に示すように、本磁石製品１００は、磁石、たとえばネオジウム磁石１０が緩衝材、たとえばシリコンラバー２０で周囲を完全に覆うように被覆された状態の一単位が所定の方向（たとえば、横方向、縦横方向など。）に複数連結されて構成される。この緩衝材２０には、溝３０が表面に刻設されている。図示はしないが、緩衝材２０の表面のみでなく、裏面にも溝３０は刻設される。
図３に示すように、この磁石１０は、上下のみならず周囲を総て緩衝材で覆われる。これにより、磁石１０の欠損を防止するのみならず、防錆、耐水等各種保護効果を奏することができる。このとき、磁石本体の磁極面１０Ａ、１０Ｂを覆う磁極面外殻２０の厚みを磁極面以外の表面を覆う他部分外殻（図の左右方向）の厚みよりも薄く形成するとともに、他部分外殻を磁極面の平面方向（図の左右方向）に膨出させることにより、磁石全体を比較的自由度高く各種の特定形状・形態に形成可能である。このとき、磁極面１０Ａ、１０ＢはどちらかがN極、もう一方がS極に磁化された磁極面である。いずれがいずれであってもよいが、隣接磁石同士は同じ面には同じ磁極が配置されている。
緩衝材２０内に封入される磁石本体１０は、その外形形状を特定されない。ここでは円形のものを例にとって図示しているが、これに限らず、棒状や角状のもの、矩形の平板といった、最も一般的で製造し易くコストのかからない形状のものが採用される。
また、磁石１０本体は、全表面を緩衝材（たとえばシリコンゴム製）外殻によって特定の態様で被覆されることから、一般的なフェライト磁石よりも磁力の強い、残留磁束密度（Br）が３５０（m T）以上、保磁力（bHc）が２００（KA／m）以上、最大エネルギー積（BHmax）が２４（KJ／m3）以上の磁力線特性を備えたものであることが望ましい。ここでは、たとえばネオジウム磁石を用いている。
磁極面１０Ａ、１０Ｂを覆う緩衝材（たとえばシリコンゴム製）外殻の厚みは、磁石１０本体の磁力や用途に応じて適宜厚みに設定されるが、緩衝性や摩擦性を発揮するために0．2〜3．O mm厚程度が望ましい。ここでの磁極面の緩衝材（外殻）２０は、厚みが0．7mm程度のシリコンゴムにて形成され、緩衝性を維持しつつ磁着力の低減化を極力抑えるようにして形成されている。かかるシリコンゴムの硬度としては、好適には、50度〜80度程度のものを用いる。
磁着力は一般に、磁石間距離の２乗に反比例することから、この厚みを持つ緩衝材製外殻によって本製品は、磁石１０本体の透磁率が本来の磁力のたとえば50〜60％程度に弱められることになるが、上述の強力な磁力線特性を備えた磁石本体を採用することで、確実な磁着力を確保する。
ここでは緩衝材（外殻）２０は、磁石１０本体を均一に覆っているのではなく、磁極面１０Ａ、１０Ｂを覆う部分の厚みを磁極面以外の面よりも薄くしてあるが、必ずしもこれに限定されない。
また、同図に示すように、緩衝材２０の表面及び裏面に溝３０が刻設されるが、好適には、幅0.3〜1.2ｍｍ程度、深さ0.03〜1.0ｍｍのものを連接長にわたって設ける。かかる溝３０を刻設することにより、たとえば50度〜80度の硬度を持つシリコンゴムを用いた場合であっても、溝部分（すなわち緩衝材２０の断面的欠損部分）の存在により、巻回動作を容易かつスムーズに行うことが可能となる。
【００１４】
本磁石製品１００は、他部分外殻の形状を種々変更することにより、多角形状、ハート形状、矢印形状、楕円形状等などが連接されて形成される任意の特定形状に形成可能である。たとえば、磁極面１０Ａ、１０Ｂを覆う部分以外の部分は、磁極面の平面方向に膨出し、平面視で任意の形状とすることが可能である。たとえば星形を成す場合、星型の先端部は鋭角状に突出するが、この鋭角部は、シリコンゴムの性状によって当たりが柔らかとなり、衝撃吸収力を有する。緩衝材２０内に収納される複数磁石の各々の間の距離は、任意であり、所望の磁力に合わせて適宜寸法を選択しうる。
図４は本実施形態の違うバージョンの磁石製品の平面図（一部省略）、図５は図４の場合の磁石製品を巻回させて係止した状態の斜視図である。
磁石間間隔（距離）は、図２に示されるような略等距離としてもよいが、これに換えて、図４に示されるように、端部近辺を密にし中央部近辺を粗にする、すなわち、端部近辺においての磁石間距離ｄ１を中央部近辺においての磁石間距離ｄ２よりも小さくとってもよい。このとき、もし磁石を等間隔で配置した図２のような場合には、巻回させたときに、図５でいう重なり部分１１０Ａで生じる、外側の系列と内側の系列との曲率の違いから必然的にずれが発生し、所望の磁石同士を係止したときに、その周囲が外周と内周とで必ずしも磁着する位置にない場合がある。しかし、図４のように構成することで、図５に示されるように、本製品を巻回させたときに、重なり部分１１０Ａで外側の系列と内側の系列との磁石列における磁石間の必然的に生じる内径の違いからくるずれを吸収し、任意の所望の箇所において、磁石を係止した場合に、その周囲においても係止できる磁石ペアが増えることになる。すなわち、図５の１１０Ａ部（外周と内周との重なり部分）では、外周部分の正面視左側は磁石間の距離が同右側のそれよりも長い。一方、内周部分の正面視左側は磁石間の距離が同右側のそれよりも短い。したがって、外周と内周とを重ねたときに、外周の間隔が粗の部分に内周の間隔が密の部分が対応し、外周の間隔が密の部分に内周の間隔が粗の部分が対応することになるから、磁石間隔が等間隔の場合に比して、磁着ペアの適用度合いが向上することになる。
また、このとき、磁石の極を同一面では同極としていることから、巻回したときには、外周の裏面の極と内周の表面の極とが互いに異極となり、係止が容易かつ確実に行えることとなる。また、緩衝材に覆われ、その分磁性を鈍化させている（ただし係止状態の保持には支障がない）ため、係止を解除する動作も容易に行うことができる。
なお、上記の各図では、緩衝材２０の平面視略中心位置に磁石１０が所在する例を示したが、この磁石１０本体の収納位置も緩衝材２０の中心位置である必要は必ずしもなく、緩衝材２０の膨出形態に応じて、各種異なる位置に収納させるようにしてもよい。
【００１５】
次に、以上の説明のように構成される本磁石製品１００、１１０の使用方法について説明する。
【００１６】
図６は、本実施形態に係る磁石製品を手首、上腕部にそれぞれ使用する様子を表した斜視図である。
【００１７】
同図に示すように、たとえば血行をよくしたいところ、凝りのあるところ等の治療・改善を希望する身体箇所に、本実施形態に係る磁石製品（たとえば１１０）を巻回する。巻回に当たっては、図４の状態にある長尺もの的なバンド状の本製品を所望箇所近傍に配置した後、これを輪状の形状にする。この輪の径は対象部位に応じて決定する。径が決定されると同時に外周、内周の重なり位置が決定される。この重なり位置に最も近くで、外周の磁石列と内周の磁石列とで最も多く磁着させられる箇所を選定し、外内周の磁石の異極同士（より詳しくは、外周に所属する磁石の裏面及び内周に所属する磁石の表面）を磁着させる。このように使用することで、装着は容易に成し遂げられるばかりか、強力な磁力により、この状態が堅固に保持される。一方、これを引き剥がす際には、磁石２０を取り巻く緩衝材２０の存在により磁石１０の磁着力は低減されていることから、比較的容易にこれを取り外すことが可能となる。
また、同図では手首には１重、上腕部には２重に本製品を巻く例を示してある。このように、本製品はこれを単層として用いることもできるが、２重以上の複層（たとえば、２重、３重、４重、５重等）として、複数の本製品を突合させた上で重ね重合状態とし（異極同士が磁着するように形成されるので、重合状態は強固に保持される）て、この重合状態で上記巻回動作に及ぶことが可能である。このような重合状態で使用すれば、磁石の数が倍増することから、健康増進・改善等の効果も略倍増することになり、所期の目的をさらに拡大して達成することができる。
図７は、本実施形態に係る磁石製品を足首、膝部にそれぞれ使用する様子を表した斜視図である。
同図に示すように、本製品に係る磁着力が強いことから、脚部付近にも支障なく、本製品は装着されることができ、また、その装着状態をしっかりと保持することが可能である。これにより、本製品の適用適合箇所はさらに広がることになり、健康増進・改善という本願の目的により一層資することとなる。
このように、本実施形態によれば、本発明に係る磁石製品を、健康維持・増進用の磁石ベルト、磁石サポーター、磁石ブレスレット等として使用できるだけでなく、その装着容易性、装着状態保持性を向上しつつ、磁石の被着磁面の傷つきにくさ、外形形成容易性、破損・欠損困難性、緩衝性、防錆性も達成されることになる。さらに緩衝材で覆うことで、離脱容易性も発揮される。
ここで、本実施形態における、異なる使用方法について説明する。
図８は本実施形態の違うバージョンの磁石製品の斜視図（一部省略）、図９は本実施形態に係る磁石製品１００、１１０、１２０を肩〜肩甲骨部、首周り部にそれぞれ使用する様子を表したイメージ図である。
同両図に示すように、本磁石製品１００と１１０、１１０と１２０、・・・と端部の複数磁石に係るオーバーラップ部８００（図８では磁石４つ分を例示している）を設けるように接続して一本の長いベルト状のものを形成し、この長いベルト状のものを、図９に示すように所望の箇所の周りに巻回させるようにする。
これにより、本製品は長さを身体部位に応じて長くしたり短くしたり調整したりできるので、所望の身体箇所（たとえば、頭の周囲、首周り、腰周り、肩甲骨周囲等）に対して健康増進用に使用することが可能となり、利便性は更に向上する。
【００１８】
図１０は、本発明の他の実施形態に係る健康維持増進のためのプレート（面板、布状ともいう。以下同。）としての磁石製品の一部を平面視で表す平面図である。以下では、上記ベルトに係る実施形態で説明した箇所と同様の説明はこれをもって換える。
同図に示すように、本磁石製品１２０は、磁石、たとえばネオジウム磁石１０が緩衝材、たとえばシリコンラバー２０で周囲を完全に覆うように被覆される一単位が所定数（たとえば同図では縦横それぞれ３列の９個）平面的に連接されて構成される１ユニットが縦横方向に単数もしくは複数連接されて構成される。この連接にあたっては、ユニットの所望箇所で切断することで多様な使用態様への対応性を高めるために、たとえば溝３０を刻設してもよい。また、同じように、空洞部４０を穿設すれば、切断容易性が高まるだけでなく、巻回動作への柔軟的対応が可能となり、さらに利便性が高まる。
【００１９】
次に、このように構成される本磁石製品１２０の使用方法について説明する。
【００２０】
図１１は、本実施形態に係る磁石製品１２０を肩〜肩甲骨部、腰周り部にそれぞれ使用する様子を表したイメージ図である。
【００２１】
同図に示すように、たとえば血行をよくしたいところ、凝りのあるところ等の治療・改善を希望する身体箇所に、本実施形態に係る磁石製品１２０を巻回する。巻回に当たっては、プレート状の本製品を所望列数で切断・長さ調整し（本図では、横は１ｍ程度、縦は２列にて切断）、所望箇所近傍に配置した後、これを巻いて重ね代をオーバーラップさせるようにする。このオーバーラップに当たっては外周、内周の重なり位置を所望箇所の近くに決定し、外内周の磁石の異極同士を磁着させる。このように使用することで、装着は容易に成し遂げられるばかりか、強力な磁力により、この状態が堅固に保持される。一方、これを引き剥がす際には、磁石２０を取り巻く緩衝材２０の存在により磁石１０の磁着力は低減されていることから、比較的容易にこれを取り外すことが可能となる。
【００２２】
以上、詳細に説明したように、本発明によれば、緩衝材（たとえばシリコンラバー）の中に完全に埋め込むことによって磁石を露出させずに保護し、気水密可能に被膜してあるため、被磁着面を傷つけることがなくなる。しかも任意の外形と色彩に形成でき、製造、運搬、使用過程での磁石本体の破断や欠損を生じ難く、防錆効果もある。さらに、適度の衝緩性を持たせることで身体に心地よさを与えるとともに、製品仕上がりも良好で、磁石本体に錆を生じさせないという本願特有の効果が達成される。
また、磁石を連接してベルトのように止めることが可能となり、たとえば長時間身体に装着して健康維持増進効果を高め、皮膚に刺激を与えない磁気の作用で筋肉内の血行を促進して筋肉の凝りをほぐす作用により、肩凝り、腰痛、神経痛、頭痛、目の疲れといった様々な症状を予防・改善するための健康器具として用いることができる。この際、緩衝材（たとえばシリコンラバー）で磁石全面が覆われているため、磁石製品単体もしくは衣服に装着したまま、洗濯を繰り返し容易に行うことができ、また、磁石そのものはシリコンによって強固に保護されているため、繰り返しの洗濯によっても破損、脱落しない。
さらにこのとき、ネオジウム磁石を用いれば、磁力が強力になることから、上述の健康維持増進効果は一層発揮され、また、シリコンの持つ緩衝性、可撓性、弾力性により、衝撃吸収効果、磁石保護効果は一層強化され、長期間に亘る耐用性が実現される。
また、磁石と緩衝材（たとえばシリコンラバー）中に、磁石が完全に内臓させる状態で埋め込まれたものが複数連結されたベルト（帯）として用いることができる。ベルトとして任意の長さで調節でき、１回乃至数回周回させた状態で装着する際には、各磁石の同局が同じ側になっているため、周回させた表面と周回前の裏面とが異極となって、決定した場所において容易に装着が可能である。また、磁石に緩衝材が覆ってあることから、たとえネオジウム磁石等の強力な磁石を用いた場合であっても、磁力に一定の制限が加わることから、離脱も容易にできる。したがって、長時間に亘って装着した状態を保つことで一層の健康増進効果をもたらす健康維持・増進器具として最適である。
さらにまた、長尺の端部付近のユニット列の各々のユニットの持つ磁石間の距離を、長尺の中央部付近のユニット列の各々のユニットの持つ磁石間の距離よりも短く形成することにより、たとえばベルトとして用いられる本発明に係る磁石製品が腕・脚等の周りに周回されることで、１周目と２周目との概略円周の相違から生ずるずれを吸収し、任意の所望箇所でベルトを止める（磁石の吸着効果を利用してベルトを係止する）ことが可能となる。
また、磁石と緩衝材（たとえばシリコンラバー）中に、磁石が完全に内臓させる状態で埋め込まれたものが複数連結された平面（布）として用いられることにより、布状体として面全体に亘って治療効果を発揮させたい場合などに特に効果を発揮する。各磁石の同局が同じ側になっているため、任意の長さで調節でき、１回乃至数回周回させた状態で装着する際には、周回させた表面と周回前の裏面とが異極となって、決定した場所において容易に装着が可能である。また、磁石に緩衝材が覆ってあることから、たとえネオジウム磁石等の強力な磁石を用いた場合であっても、磁力に一定の制限が加わることから、離脱も容易にできる。したがって、長時間に亘って装着した状態を保つことで、特に面的効果の大きい、肩凝り、腰痛等の疾病に対して一層の健康増進効果をもたらすことができる。さらに、磁石を覆う緩衝材の連接部分に溝が刻設されることから、緩衝材の硬度が比較的硬い素材（たとえば、シリコンゴム硬度50度〜80度の素材）を用いたとしても、身体に巻回する操作を支障なく行うことができる。
なお、本願発明は、上述した実施形態に限定されるものでなく、その技術思想の同一及び等価に及ぶ範囲において上述した実施形態への様々な変形、追加、置換、拡大、縮小等を許容するものである。たとえば、上記では、磁石としてネオジウム磁石の場合を例にとり説明したが、ネオジウム磁石に限定されることはなく、適度な強度の磁着力を有するものであれば、たとえばサマリウムコバルト磁石等の希土類磁石、フェライト磁石、アルニコ磁石等、各種の磁石を用いることも可能である。
また、上記では、緩衝材としてシリコン、シリコンラバーの場合を例にとり説明したが、これらに限定されることはなく、適度な弾力性、耐久性を有するものであれば、ゴム、ビニル、プラスチック等各種の材料を用いることが可能である。さらに、上記では磁石の形は円盤形に限られず、各種多角形や板状でないものや、立体状のものであってもよい。
【００２３】
さらにまた、上述したものは本願に係る技術思想を具現化するための実施形態の一例を示したにすぎないものであり、他の実施形態でも本願に係る技術思想を適用することが可能である。
【００２４】
また、本願発明を用いて生産される装置、方法、システムが、その２次的生産品に登載されて商品化された場合であっても、本願発明の価値は何ら減ずるものではない。
【産業上の利用可能性】
【００２５】
本発明に係る健康維持増進に関する磁石によれば、常用性に富むことによって本磁石の耐久性、暖衝性が保たれ、利便性の向上が達成されることにより、健康産業、被服業他各種の産業分野にも応用が可能である。例えば、本願製品の耐久性、具体的には対洗濯耐性によれば、これまで考えられなかったような、衣類や靴、帽子、下着・ランジェリーなどに（緩衝材被覆付）磁石を縫い付けたような製品が実現可能となる。これによって、被体者の健康を維持増進させ得、更に容易に取り外し可能な、衣服と健康の混合した製品を生み出す産業を創設することすら可能となる。また、被磁着面の部位を気にすることがなく装着が可能なため、年齢制限を設けることなく容易で、且つ安全な製品作りが可能となり、各種産業に非常な有益性をもたらすものである。
【図面の簡単な説明】
【００２６】
【図１】本発明の一実施形態に係る健康維持増進のためのベルトとしての磁石製品の部分を示す斜視図である。
【図２】本磁石製品の一態様としてのベルトの一部省略の全体像を平面視で表す平面図である。
【図３】図２の矢印で切った断面の一部を示す断面図である。
【図４】本実施形態の違うバージョンの磁石製品の平面図（一部省略）である。
【図５】図４の場合の磁石製品を巻回させて係止した状態の斜視図である。
【図６】本実施形態に係る磁石製品を手首、上腕部にそれぞれ使用する様子を表した斜視図である。
【図７】本実施形態に係る磁石製品を足首、膝部にそれぞれ使用する様子を表した斜視図である。
【図８】本実施形態の違うバージョンの磁石製品の斜視図（一部省略）である。
【図９】本実施形態に係る磁石製品１００、１１０、１２０を肩〜肩甲骨部、首周り部にそれぞれ使用する様子を表したイメージ図である。
【図１０】本発明の他の実施形態に係る健康維持増進のためのプレートとしての磁石製品の一部を平面視で表す平面図である。
【図１１】本実施形態に係る磁石製品１２０を肩〜肩甲骨部、腰周り部にそれぞれ使用する様子を表したイメージ図である。
【符号の説明】
【００２７】
１０    磁石
１０Ａ  磁石の一方の極面
１０Ｂ  磁石の他方の極面
２０    緩衝材（たとえばシリコンラバー）
３０    溝
４０    空洞部
１００、１１０、１２０  磁石製品
１１０Ａ  ベルトとしての本製品における外周・内周の重なり部分
８００  重なり部分
【図１】
2008253636.tif 000003
【図２】
2008253636.tif 000004
【図３】
2008253636.tif 000005
【図４】
2008253636.tif 000006
【図５】
2008253636.tif 000007
【図６】
2008253636.tif 000008
【図７】
2008253636.tif 000009
【図８】
2008253636.tif 000010
【図９】
2008253636.tif 000011
【図１０】
2008253636.tif 000012
【図１１】
2008253636.tif 000013